(57)【要約】      （修正有）【課題】食事に合わせての一日３回の服用或いは服用者の状態に合わせた一日に服用する複数の錠剤毎にＰＴＰシートを作成し、且つ該複数の錠剤の近傍に該錠剤の各種情報を示す簡略表示を表現したＰＴＰシートを提供する。【解決手段】飲み込むことが不可能な大きさとなるＰＴＰシート１に一日分の服用に相当する複数の錠剤２を包装し、該複数の錠剤２の近傍に該錠剤２の各種情報３，４等を記入或いは刻設してＰＴＰシートを構成する。【選択図】図１
0003155333.tif 000002
【実用新案登録請求の範囲】
【請求項１】
飲み込むことが不可能な大きさとなるＰＴＰシートに一日分の服用に相当する複数の錠剤を包装し、該複数の錠剤の近傍に該錠剤の各種情報を記入或いは刻設してなることを特徴とするＰＴＰシート。
【請求項２】
各種情報を、錠剤の投与時刻情報としてなることを特徴とする請求項１記載のＰＴＰシート。
【請求項３】
各種情報を、錠剤の投与日情報としてなることを特徴とする請求項１記載のＰＴＰシート。
【請求項４】
各種情報を、錠剤の投与曜日情報としてなることを特徴とする請求項１記載のＰＴＰシート。
【請求項５】
各種情報を、錠剤の投与対象情報としてなることを特徴とする請求項１記載のＰＴＰシート。
【請求項６】
錠剤の投与対象情報を、各種部位の形状表示としたことを特徴とする請求項５記載のＰＴＰシート。
【請求項７】
各種情報を、投与時刻情報、投与月日情報、投与曜日情報、投与対象情報のいずれか２以上としてなることを特徴とする請求項１記載のＰＴＰシート。
【考案の詳細な説明】
【技術分野】
【０００１】
本考案は、薬局或いは医療機関等から得る錠剤を正しい飲用が可能となるようにしたＰＴＰシートに関するものである。
【背景技術】
【０００２】
現在、薬局或いは医療機関等から支給される錠剤は、図４に示すように、適数個の錠剤を包装収納した錠剤パッケージの形で供給され、服用者はそれらから錠剤を取り出して服用している。上記錠剤パッケージにおける錠剤は、食事時間との関係で、朝、昼、夕〜夜の食前、食間、食後等を服用する時刻としている。そして、服用すべき錠剤は、複種類にわたる場合も多く、このことを含め定められた特定の錠剤を服用するには煩瑣であるため、飲み忘れ、重複飲用等が生じていた。これは、上記錠剤パッケージはＰＴＰシート等のように同一の錠剤が多数個包装収納されているため、服用者自身が特定された日時に定まった錠剤を服用したのか或いは忘れているのかを把握することができなかったことにその一因があった。そのため、服用する前に錠剤に対応するパッケージを分割線Ａ等を利用して個々に切り離してセットするとか、錠剤パケージの所定箇所に日時等を記入するとかして個々人の管理に任せているという問題があった。
【０００３】
また、上記ＰＴＰシートの分割線Ａは、１錠毎に服用者が手によりバラバラに分割することができるようにされているのが一般的であるが、近年、その分割されたＰＴＰシートから錠剤を取り出さずにＰＴＰシートごと飲んでしまうというケースが生じている。このことは特に４０歳から７０歳代の中高年層に比較的多く、１９７０年からの２５年間において６３５件の症例が報告されている。錠剤を取り出さずに飲むとなるとＰＴＰシートの硬い鋭角部が食道粘膜へ突き刺さり、更にはそこに穴を開けることになり、重篤な合併症を併発している例も報告され、錠剤毎に分割できることが問題となり、分割線を廃止しているＰＴＰシートが多くなってきている。
【０００４】
上記したように、服用者によっては錠剤の飲み忘れ或いは重複投与を避けるために、該ＰＴＰシートを服用前に予め切り離すことで対応しようとすることになるが、そのこと自体煩瑣なことであり、また、切り離されたＰＴＰシートを錠剤ごと服用してしまうという上記と同様の懸念が生じることになる。
【０００５】
上記飲み忘れ或いは重複飲用を解決すべく、下記する文献のように、錠剤の近傍に表示部或いは記入欄を設けたＰＴＰシートが提案されているが、それらは服用する錠剤の一日毎にＰＴＰシートが分離形成されたものではなく、また、分割線によって分離可能なＰＴＰシートにあっては服用者が該ＰＴＰシートを飲み込んでしまうことを回避することのできる大きなシートとして分離できる態様とはなっておらず、安全性に欠けたものとなっている。
【０００６】
また、ＰＴＰシートに包装されている錠剤が服用者のどこに作用するのかの投与対象がわからない状態で服用することも多かった。
【先行技術文献】
【特許文献】
【０００７】
【特許文献１】特開２００２−１１９５７４号公報
【特許文献２】特開平１０−２６４９６４号公報
【特許文献３】実用新案登録第３０９８５０９号公報
【考案の概要】
【考案が解決しようとする課題】
【０００８】
本考案は、上記欠点を解決したもので、食事に合わせての一日３回の服用或いは服用者の状態に合わせた一日に服用する複数の錠剤毎にＰＴＰシートを作成し、且つ該複数の錠剤の近傍に該錠剤の各種情報を示す簡略表示を表現したものである。
【課題を解決するための手段】
【０００９】
飲み込むことが不可能な大きさとなるＰＴＰシートに一日分の服用に相当する複数の錠剤を包装し、該複数の錠剤の近傍に該錠剤の各種情報を記入或いは刻設してなるＰＴＰシートを特徴とする。
【００１０】
また、各種情報を、錠剤の投与時刻情報としてなるＰＴＰシートを特徴とする。
【００１１】
更に、各種情報を、錠剤の投与日情報としてなるＰＴＰシートを特徴とする。
【００１２】
また、各種情報を、錠剤の投与曜日情報としてなるＰＴＰシートを特徴とする。
【００１３】
更に、各種情報を、錠剤の投与対象情報としてなるＰＴＰシートを特徴とする。
【００１４】
また、錠剤の投与対象情報を、各種部位の形状表示としたＰＴＰシートを特徴とする。
【００１５】
更に、各種情報を、投与時刻情報、投与月日情報、投与曜日情報、投与対象情報のいずれか２以上としてなるＰＴＰシートを特徴とする。
【考案の効果】
【００１６】
本考案は、ＰＴＰシートを１日に投与する複数の錠剤をまとめてパッケージしたもので、これにより服用者の服用忘れや重複服用を防止することが可能となった。
【００１７】
また、該錠剤の近傍に該錠剤の各種情報を記入或いは刻設することにより服用忘れや重複服用の防止を確実とすることが可能となった。
【００１８】
更に、ＰＴＰシートには１日の投与数となる複数個の錠剤が包装されていることになるので、１個のＰＴＰシートが大きくなり、錠剤のみを服用することなくＰＴＰシートそのものを飲んでしまうという危険を事前に防止することが可能となった。
【図面の簡単な説明】
【００１９】
【図１】（ａ）本考案のＰＴＰシートに配列された錠剤とその投与時刻を表示した実施例の平面図、（ｂ）本考案のＰＴＰシートに配列された錠剤とその投与時刻を表示した他の実施例の平面図、（ｃ）本考案のＰＴＰシートに配列された錠剤とその投与時刻及び投与対象部位を表示した実施例の平面図。
【図２】（ａ）本考案のＰＴＰシートに配列された錠剤とその投与時刻及び曜日を表示した実施例の平面図、（ｂ）本考案のＰＴＰシートに配列された錠剤とその投与時刻及び月日を表示した実施例の平面図、（ｃ）本考案のＰＴＰシートに配列された錠剤とその投与時刻及び曜日と月日を表示した実施例の平面図。
【図３】（ａ）本考案のＰＴＰシートに配列された錠剤とその投与時刻を凹凸によって表示した実施例の平面図、（ｂ）本考案のＰＴＰシートに配列された錠剤とその投与時刻を凹凸によって表示した他の実施例の平面図、（ｃ）本考案のＰＴＰシートに配列された錠剤の投与時刻及び投与対象部位を凹凸によって表示した実施例の平面図。
【図４】従来の錠剤を包装したＰＴＰシートの平面図。
【考案を実施するための形態】
【００２０】
以下、図面に基づいて本考案の実施例を説明する。
【実施例１】
【００２１】
図１（ａ）〜（ｃ）は、本考案のＰＴＰシート及びそのＰＴＰシートへの錠剤の配列並びに表示部を示したものである。現在の錠剤はＰＴＰシートに２列或いは３列に並列されているので、その内の１列に相当する箇所を錠剤包装スペースとし、他の部分を空白部とし、該空白部を表示部としている。従って、現在使用している金型等のＰＴＰシート製造手段をそのまま使用することが可能となる。
【００２２】
錠剤の配列は、図１（ａ）にあってはＰＴＰシート１の上部に錠剤２を配置包装させ、その下部に投与時刻情報３を設けている。該投与時刻情報３としては朝、昼、夜等の概略の投与時刻情報を記入している。
【００２３】
図１（ｂ）は、ＰＴＰシート１の対角線に沿って錠剤２を配置包装させ、朝、昼、夜等の概略投与時刻情報３をその近傍に表示している。矢印により錠剤２の位置を強調させて飲み忘れが防止できるようにすることもできる。
【００２４】
図１（ｃ）は、ＰＴＰシート１の中央部に錠剤２を並べて配置包装させ、その上・下のいずれかの空白部に朝、昼、夜等の投与時刻情報３を示し、他方側の空白部には該錠剤がどのような部位へ投与する錠剤なのかの投与対象情報４を簡略表示している。
【実施例２】
【００２５】
図２（ａ）は、表示手段として、朝、昼、夜等の投与時刻情報３の他に、月曜日、火曜日、…、日曜日といった投与曜日情報５を表示したものである。
【００２６】
図２（ｂ）は、表示手段として、１、２、３、…、と日にちを表示した投与日情報６としたものである。
【００２７】
図２（ｃ）は、表示手段として、投与曜日情報５と投与日情報６を併記表示したものである。
なお、錠剤配列については上記実施例１と同様の配置が考えられる。
【実施例３】
【００２８】
図３（ａ）〜（ｃ）は、本考案の他の実施例を示している。上記実施例１では空白部に各種情報を印刷する印刷工程を設ける必要があるが、本実施例では凹凸部７によって投与時刻情報３´等を設けたものである。該凹凸部７であれば、現在使用している包装機メーカ或いは製薬メーカ等の所有している金型を交換することなく簡単な補修をすることにより凹凸部７を設けることが可能となる。
【００２９】
図３（ｃ）にあっては、空白部に錠剤の作用する部位となる投与対象情報を凹凸部７によってその特徴を概略表示したものである。上記同様、既存の金型を簡単な補修をすることにより表現することが可能である。
【００３０】
また、上記実施例２の投与曜日情報、投与日情報等も、凹凸部によって表現できるものであれば、印刷工程を特別に設けることもなく、既存の金型の補修により対応することが可能となる。
【符号の説明】
【００３１】
１          ＰＴＰシート
２          錠剤
３、３´    投与時刻情報
４、４´    投与対象情報
５          投与曜日情報
６          投与日情報
７          凹凸部
【図１】
0003155333.tif 000003
【図２】
0003155333.tif 000004
【図３】
0003155333.tif 000005
【図４】
0003155333.tif 000006